(57)【要約】【課題】主として豚舎その他の家畜を飼育する畜舎または植物栽培ハウス等で送風ないし水を噴霧して室内の温湿度を調整するための複数の反転式噴霧送風機からなる反転式噴霧送風システムを提供する。【解決手段】ほぼ３６０度以内の所望の角度で正逆回転させて噴霧送風方向を変更することが可能な反転式噴霧送風装置３を複数個屋内の天井部から吊り下げて使用する噴霧送風システムにおいて、反転用モーター１３の回転を回転切換手段によって正逆回転させて噴霧送風機を正逆反転可能に設けた複数個の反転式噴霧送風装置と、各噴霧送風機の方向ないし角度のずれを修正するための修正手段と、前記各噴霧送風機を操作するための制御盤と、を備えてなる。【選択図】      図１
2004180593.tif 000002
【特許請求の範囲】
【請求項１】
ほぼ３６０度以内の所望の角度で正逆回転させて噴霧送風方向を変更することが可能な反転式噴霧送風装置を複数個屋内の天井部から吊り下げて使用する噴霧送風システムにおいて、反転用モーターの回転を回転切換手段によって正逆回転させて噴霧送風機を正逆反転可能に設けた複数個の反転式噴霧送風装置と、各噴霧送風機の方向ないし角度のずれを修正するための修正手段と、前記各噴霧送風機を操作するための制御盤と、を備えたことを特徴とする反転式噴霧送風システム。
【請求項２】
ほぼ３６０度以内の所望の角度で正逆回転させて噴霧送風方向を変更することが可能な反転式噴霧送風装置を複数個屋内の天井部から吊り下げて使用する噴霧送風システムにおいて、噴霧送風機を取付けるための反転基板と、前記の反転基板を回転させるための反転用モーターと、反転用モーターの回転を伝導して反転基板を回転する歯車と、噴霧送風機の方向ないし角度のずれを修正するための修正手段と、を備えた反転式噴霧送風機を取り付けるための架台であって、前記の修正手段は、反転用モーターの回転を停止するリミットスイッチと、前記のモーター乃至歯車の回転に連動して前記のリミットスイッチと接する位置に設けた接触部からなることを特徴とする反転式架台。
【請求項３】
請求項１記載の反転式噴霧送風システムにおいて、前記の修正手段は、反転用モーターの回転を停止するリミットスイッチと、前記のモーター乃至歯車の回転に連動して前記のリミットスイッチと接する位置に設けた接触部からなり、前記の接触部は、３６０度の範囲内で正逆回転させる噴霧送風機の場合には、各リミットスイッチと接する位置に１個設けられ、１８０度の範囲内で正逆回転させる噴霧送風機の場合には、各リミットスイッチと接する位置で、且つ、相互に１８０度離れて対向する位置に２個設けられ、このように噴霧送風機を正逆回転させる角度に応じて接触部をそれぞれ任意に設定できることを特徴とする反転式噴霧送風システム。
【請求項４】
前記の反転式噴霧送風システムを構成する反転式噴霧送風装置の中の何れか一つを親機とし、残余の反転式噴霧送風装置を子機として構成し、子機を構成する反転用モーターのリミットスイッチが切れたときは当該子機を構成する噴霧送風機の反転用モーターのみが停止し、親機を構成する反転用モーターのリミットスイッチが切れたときは当該親機を含む全ての子機を構成する噴霧送風機の反転用モーターが停止するように構成したことを特徴とする請求項３記載の反転式噴霧送風システム。
【請求項５】
前記の回転切換手段は、時間を設定可能なタイマーと、全ての噴霧送風機の反転用モーターを前記のタイマーと連動して一斉に停止ないし正逆回転の切換をするための切換スイッチとからなり、前記のタイマーに予め「正転・逆転・待機」の各時間を設定しておいて、係る設定時間に従って、「正転・停止状態で待機・逆転・停止状態で待機」の動作を順次繰り返すとともに、前記動作のうち正転ないし逆転の途中において子機の各噴霧送風機のリミットスイッチが個別に作動して停止待機し、各噴霧送風機の方向ないし角度のずれを修正することが可能であることを特徴とする請求項３又は４記載の反転式噴霧送風システム。
【請求項６】
前記の反転式噴霧送風システムにおいて、噴霧送風用の水を導入するドレンポンプ又は／及び送風機と前記のリミットスイッチないし反転用モーターの回転を正逆回転させる切換スイッチを連動させて、反転用モーターが停止状態で待機しているときは前記の噴霧送風機の噴霧動作又は／及び送風動作も併せて停止状態で待機することを特徴とする請求項３〜５の何れかに記載の反転式噴霧送風システム。
【請求項７】
前記の修正手段又は回転切換手段が正常に作動しない場合に反転用モーターを緊急停止するための補助スイッチを備えてなることを特徴とする請求項１、３，４，５，又は６の何れかに記載の反転式噴霧送風システム。
【発明の詳細な説明】
【０００１】
【発明の属する技術分野】
この発明は、主として豚舎その他の家畜を飼育する畜舎または植物栽培ハウス等で送風ないし水を噴霧して室内の温湿度を調整するための複数の反転式噴霧送風機からなる反転式噴霧送風システムに関する。
【０００２】
【従来の技術】
従来、豚舎その他の家畜を飼育する畜舎の温度上昇を抑制して、適度の温度を維持調整するために、畜舎の天井に扇風機または噴霧器を取り付ける等の対策が講じられていた。例えば、エロフィン管に水を通してファンによって下向きに送風し、併せてノズルから下向きに水を噴霧して室内温度を低下させる装置が開示されている（特許文献１参照。）。しかし、これは下向きないし横向きの一定方向に吹付けるのみで、局所的に温度を低下させる効果は有るものの、噴霧を全方向に行き渡らせることによって室内全体の温度を低下させる効果に乏しい。そこで、本願発明者は、「反転式架台及びこの架台を用いた噴霧送風装置」を発明して先に出願した（特許文献２参照。）。
【０００３】
本願発明者が先に出願した前記の特許文献２記載の発明によれば、噴霧送風機が３６０度正逆回転することによって、例えば、仕切の中で飼育する家畜が両方向から交互に噴霧ないし送風が受けられるようになり、且つ、室内全体に噴霧送風が行き渡ることによって、従来の一方向からのみの送風による飼育ムラが生じる問題が完全に解消された。植物栽培ハウスでの植物の栽培においても同様であり、かかる３６０度正逆回転する反転式噴霧送風装置によって家畜や植物にとって最適な飼育環境や栽培環境を提供することができる。
【０００４】
【特許文献１】
実開昭６３−３１９２２号公報（第１頁、第１−４図）
【特許文献２】
特開昭２００２−５１６５６号公報
【０００５】
【発明が解決しようとする課題】
しかし、本願発明者が先に出願した前記の噴霧送風装置は単独で使用する場合には何ら問題を生じないのであるが、これらを複数個使用する場合に、各反転式噴霧送風装置に対して１対１で正逆反転制御するように構成した場合、反転式噴霧送風装置の個数に応じた制御装置が必要でありコストアップの原因となるばかりでなく、それぞれの噴霧送風装置は独自に反転動作を繰り返す結果、噴霧送風の方向が区々となり、両方の噴霧送風装置から吹き出す噴霧送風が互いに衝突したり届かない場所が生じたりして室内を斑なく温室度調整することが困難となる。また、使用するモーター毎に回転数に微妙な誤差があり、且つ、モーターが反転する際に惰性で回転する角度がモーター毎に差があること等の原因により、長時間稼動した場合に、正逆何れかの方向に偏って回転する結果、この回転差が加算されて噴霧送風方向が区々となったり、ついには電気配線コードが絡みつく等の支障が生じる問題がある。そこで、この発明の課題とするところは、前記のような問題点を解消するために複数個の反転式噴霧送風装置を１個の制御装置によって正逆反転制御するとともに、各噴霧送風装置に噴霧送風方向ないし角度のずれを修正するための修正手段を設けることによって、効率がよく斑のない温室度調整ができ、しかも経済的な反転式噴霧送風システムを提供することにある。
【０００６】
【課題を解決するための手段】
前記の課題を解決するために、この発明は、ほぼ３６０度以内の所望の角度で正逆回転させて噴霧送風方向を変更することが可能な反転式噴霧送風装置を複数個屋内の天井部から吊り下げて使用する噴霧送風システムにおいて、反転用モーターの回転を回転切換手段によって正逆回転させて噴霧送風機を正逆反転可能に設けた複数個の反転式噴霧送風装置と、各噴霧送風機の方向ないし角度のずれを修正するための修正手段と、前記各噴霧送風機を操作するための制御盤と、を備えたことを特徴とする反転式噴霧送風システムとする（請求項１）。
【０００７】
また、前記の課題を解決するために、この発明は、ほぼ３６０度以内の所望の角度で正逆回転させて噴霧送風方向を変更することが可能な反転式噴霧送風装置を複数個屋内の天井部から吊り下げて使用する噴霧送風システムにおいて、噴霧送風機を取付けるための反転基板と、前記の反転基板を回転させるための反転用モーターと、反転用モーターの回転を伝導して反転基板を回転する歯車と、噴霧送風機の方向ないし角度のずれを修正するための修正手段と、を備えた反転式噴霧送風機を取り付けるための架台であって、前記の修正手段は、反転用モーターの回転を停止するリミットスイッチと、前記のモーター乃至歯車の回転に連動して前記のリミットスイッチと接する位置に設けた接触部からなることを特徴とする反転式架台とする（請求項２）。
【０００８】
また、前記の課題を解決するために、この発明は、前記の反転式噴霧送風システムにおいて、前記の修正手段は、反転用モーターの回転を停止するリミットスイッチと、前記のモーター乃至歯車の回転に連動して前記のリミットスイッチと接する位置に設けた接触部からなり、前記の接触部は、３６０度の範囲内で正逆回転させる噴霧送風機の場合には、各リミットスイッチと接する位置に１個設けられ、１８０度の範囲内で正逆回転させる噴霧送風機の場合には、各リミットスイッチと接する位置で、且つ、相互に１８０度離れて対向する位置に２個設けられ、このように噴霧送風機を正逆回転させる角度に応じて接触部をそれぞれ任意に設定できることを特徴とする前記の反転式噴霧送風システムとすることが好ましい（請求項３）。
【０００９】
また、前記の課題を解決するために、この発明は、前記の反転式噴霧送風システムを構成する反転式噴霧送風装置の中の何れか一つを親機とし、残余の反転式噴霧送風装置を子機として構成し、子機を構成する反転用モーターのリミットスイッチが切れたときは当該子機を構成する噴霧送風機の反転用モーターのみが停止し、親機を構成する反転用モーターのリミットスイッチが切れたときは当該親機を含む全ての子機を構成する噴霧送風機の反転用モーターが停止するように構成したことを特徴とする前記の反転式噴霧送風システムとすることが好ましい（請求項４）。
【００１０】
また、前記の課題を解決するために、この発明は、前記の回転切換手段は、時間を設定可能なタイマーと、全ての噴霧送風機の反転用モーターを前記のタイマーと連動して一斉に停止ないし正逆回転の切換をするための切換スイッチとからなり、前記のタイマーに予め「正転・逆転・待機」の各時間を設定しておいて、係る設定時間に従って、「正転・停止状態で待機・逆転・停止状態で待機」の動作を順次繰り返すとともに、前記動作のうち正転ないし逆転の途中において子機の各噴霧送風機のリミットスイッチが個別に作動して停止待機し、各噴霧送風機の方向ないし角度のずれを修正することが可能であることを特徴とする前記の反転式噴霧送風システムとすることが好ましい（請求項５）。
【００１１】
また、前記の課題を解決するために、この発明は、前記の反転式噴霧送風システムにおいて、噴霧送風用の水を導入するドレンポンプ又は／及び送風機と前記のリミットスイッチないし反転用モーターの回転を正逆回転させる切換スイッチを連動させて、反転用モーターが停止状態で待機しているときは前記の噴霧送風機の噴霧動作又は／及び送風動作も併せて停止状態で待機することを特徴とする前記の何れかに記載の反転式噴霧送風システムとすることが好ましい（請求項６）。
【００１２】
また、前記の課題を解決するために、この発明は、前記の修正手段又は回転切換手段が正常に作動しない場合に反転用モーターを緊急停止するための補助スイッチを備えてなることを特徴とする前記の何れかに記載の反転式噴霧送風システムとすることが好ましい（請求項７）。
【００１３】
【実施例】
次に、この発明の実施例について、図に基づいて説明する。この実施例に係る噴霧送風システムは、噴霧送風機と噴霧送風機を取付けるための反転基板と前記の反転基板を回転させるための反転用モーターと反転用モーターの回転を伝導して反転基板を回転する歯車と各噴霧送風機の方向ないし角度のずれを修正するための修正手段とを有する複数の反転式噴霧送風装置と、前記の各反転用モーターの回転を正逆回転させる回転切換手段と、前記の複数の反転式噴霧送風装置を操作するための制御盤と、を備えた反転式噴霧送風システムであって、前記の修正手段は、反転用モーターの正回転を停止する正転リミットスイッチと、逆回転を停止する逆転リミットスイッチと、前記のモーター乃至歯車の回転に連動して各リミットスイッチと接する位置に設けた接触部とからなり、反転式噴霧送風システムを構成する反転式噴霧送風装置の中の何れか一つを親機とし、残余の反転式噴霧送風装置を子機として構成され、前記のリミットスイッチが切れて停止した反転用モーターはそれぞれ停止した位置にそのまま待機させ、全反転用モーターが停止した後に反転させて各噴霧送風機の方向ないし角度のずれを修正することができることを特徴とする。
【００１４】
図１はこの発明の実施例に係る噴霧送風機を取り付けるための反転式架台の内部側面の構造を示す説明図である。図１において、１は反転式架台であり、箱型のハウジング１１と、該ハウジングの底基台２１を貫通しベアリングを介して底基台２１に回転可能に枢着されたシャフト１２と、三相誘導電動機からなる反転用モーター１３と、該モーターの回転をシャフトに伝導するかさ歯車１４（水平かさ歯車１４ａ、垂直かさ歯車１４ｂ）と、前記シャフトの先端に固着され、噴霧送風機を取付けるための反転基板１５と、を備え、前記水平かさ歯車１４ａの上面に接触部１８が取付けられており、前記反転用モーター１３に対向する方向に設けられ、前記水平かさ歯車１４ａの上方部に延びる正転リミットスイッチ１６と逆転リミットスイッチ１７が、水平かさ歯車１４ａの回転に応じて、前記の接触部１８と接触するとともに前記の各リミットスイッチがオン・オフするように構成されている。ハウジング１１にはこの反転式架台を天井に吊り下げるための吊下げ具２０が取付けられている。
【００１５】
前記のリミットスイッチの後方のやや高い位置には反転用モーターを緊急停止するための補助スイッチ１９が設けられ、その先端部が前記の両リミットスイッチと平行に接触部１８に接触する位置まで延びている。本実施例の場合は前記の補助スイッチ１９は親機のみに備えられており、子機には備えられていないが、親機と子機の両方に設けてもよい。そして、反転用モーターの後方には電線を接続するための端子２２が設けてある。
【００１６】
次に、図２〜６に基づいて実施例に係る反転式噴霧送風システムの構造と動作について説明する。図２は制御盤の正面図であり、図３は主電源の配線図であり、図４は反転式噴霧送風システムの親機のシーケンス図である。図５は子機の電源配線図であり、図６は子機のシーケンス図である。図７は親機と子機の結線を例示する配線図である。
【００１７】
図２の制御盤２において、ＷＬは電源表示ランプであり、このシステムの電源が入ると点灯する。ＣＯＳは切換スイッチであり、ＣＯＳ１はこのシステムを自動運転するか手動運転するかを選択するのに使用し、ＣＯＳ２はモーターの回転方向の切換スイッチであり、正逆回転ないし中立の３選択肢から選択できる。ＣＯＳ１で自動運転を選択した場合には反転用モーター１５は設定に従って自動的に正逆反転を繰り返し、手動運転を選択した場合には、ＣＯＳ２の切換スイッチによって選択した方向にモーターが回転し、又は待機する。ＣＯＳ３はこの反転式噴霧送風機の噴霧用の水を導入するドレンポンプのスイッチであり、ドレンポンプを作動せず送風のみでの運転、反転用モーターが正転しているときのみ噴霧、反転用モーターが正転と逆転の何れにも噴霧、の３態様の中から何れかを選択できるようになっている。
【００１８】
図３の主電源の配線図において、本実施例の反転式噴霧送風システムに供給される電力はＲＳＴの三相交流からなり、図４のシーケンス図に示す各リレーに対応するスイッチを経て各端子から送風機、反転用モーター及びドレンポンプに電力が供給される。ここで、５２１スイッチ、５２Ｆスイッチ、５２Ｒスイッチ、５２３スイッチはそれぞれ図４のシーケンス図に示す５２１リレー、５２Ｆリレー、５２Ｒリレー、５２３リレーに対応してオン・オフする。ＵＶＷ１、ＵＶＷ２、ＵＷ３はそれぞれ送風機、反転用モーター及びドレンポンプに接続する端子であり、５２Ｆスイッチは反転用モーターの正転スイッチであり、５２Ｒスイッチは反転用モーターの逆転スイッチであり、ＥＬＢは開閉器の回路表示ランプである。右端のヒューズは図４のシーケンス図の上部基線に接続している。
【００１９】
次に、図４の親機のシーケンス図について説明する。図４において、ＣＯＳ１、ＣＯＳ２、ＣＯＳ３はそれぞれ前記図２の制御盤２の各切換スイッチに対応している。最初に反転用モーターの正逆反転回路について説明する。切換スイッチＣＯＳ１を手動にした場合、ＣＯＳ２を正転にすると５２Ｆリレーが導通して５２Ｆスイッチが入り反転用モーターは正回転し、ＣＯＳ２を逆転にすると５２Ｒリレーが導通して５２Ｒスイッチが入り反転用モーターは逆回転する。この場合、５２Ｆリレーと５２Ｒリレーはインターロック回路を構成するので、何れかのリレーが導通すると他のリレーは非導通の関係となり、正逆スイッチが同時にオン・オフすることを回避している。
【００２０】
切換スイッチＣＯＳ１を自動にした場合、自動運転用のＡＸリレー、正転タイマーＴＭＡリレー及び待機タイマーＴＭＢリレーが同時に導通する。この実施例においては、正転タイマーを前記のかさ歯車１４がほぼ１回転するに要する時間である３分間に設定し、待機タイマーを正転に要する３分間に逆転開始までの待機時間１分間を加えた４分間に設定してある。最初に正転が開始して３分後に正転タイマーに連動するＴＭＡスイッチがオフして５２Ｆリレーが非導通となって正転が停止する。その１分後に待機タイマーと連動するＴＭＢスイッチがオンして５２Ｒリレーが導通し逆転が開始する。
【００２１】
反転用モーターは正逆の回転数がほぼ同じなので、逆転が開始して３分後に前記の逆転リミットスイッチ１７が、水平かさ歯車１４ａの回転に伴って、前記の接触部１８と接触するとスイッチが切れる。すると逆転停止用のＬＸリレーが非導通となりＬＸスイッチがオフするとともに５２Ｒリレーが非導通となって逆転が停止する。それとほぼ同時に正転再スタートタイマーＴＭ１がスタートして１分後にスイッチＢＸが接続するとともに５２Ｆリレーが導通して正回転が開始する。順次この一連の動作が繰返される。以上のようにして３分間で反転基板が正回転で略１回転し、次ぎの３分間で逆回転で略１回転する。正回転と逆回転の中間に待機時間を１分間設けている。反転基板が１回転に要する時間はモーターに連動しているかさ歯車の回転比を変えることによって調整することができる。三相誘導電動機の正逆反転の結線については、前記特許文献２の図２及び図３に記載されている。
【００２２】
また、本実施例の反転式噴霧送風システムには、２４時間タイマーＴＭ２４が備えられており、最長２４時間の範囲内で自動運転が可能である。送風機のスイッチ５２１と連動する５２１リレーは５２Ｆリレー及び５２Ｒリレーと連動し、反転用モーターが正逆転何れかの回転と同調して送風機が作動するようになっている。ドレンポンプは切換スイッチＣＯＳ３によって正転に切換えることによって５２Ｆリレーが導通すると５２２リレーが導通してドレンポンプが作動する。ＣＯＳ３を正逆転に切換えることによって、５２１リレーと連動し、正逆転何れかの回転と同調してドレンポンプが作動する。Ｘ、Ｙ端子に接続するスイッチはＢ接点からなる緊急停止用の補助スイッチ１９であり、この補助スイッチ１９がオフすることによって、システム全体の電源がシャットダウンすることとなる。
【００２３】
図５の子機の配線図において、親機よりのＵＶＷ２は主電源の配線図３の反転用モーターの端子ＵＶＷ２と接続し、図６の子機シーケンス図の５３Ｆリレー及び５３ＲリレーとＵＶＷ１２端子を経て子機の反転モーターに電力が供給される。子機のＵＶＷ１は主電源配線図のＵＶＷ１と配線用遮断器ＭＣＢを経て接続される端子であり、ＵＶＷ１１端子を経て子機の送風機に対して親機の送風機と同様のタイミングで電力を供給する。ＵＷ３は主電源配線図のＵＷ３と接続される端子であり、ＵＷ１３端子を経て子機のドレンポンプに対して親機のドレンポンプと同様のタイミングで電力を供給する。配線図の右端のヒューズを経て図６の子機シーケンス図の上部基線に接続している。図７は親機Ｐ１機に対して子機Ｃ１，Ｃ２の２機の結線を例示する配線図であるが、同様にして子機を３台以上（Ｃ３〜）連結することもできる。
【００２４】
図６の子機シーケンス図において、Ｘ−１スイッチは図４の親機シーケンス図のＸ−１リレーと連動して作動し、５２Ｒスイッチは、図４の親機シーケンス図のＦ及びＧ端子に接続して５２Ｒリレーと連動して作動する。更に、子機の正転リミットスイッチ及び逆転リミットスイッチとそれぞれ連動する５３Ｆリレー及び５３Ｒリレーに接続している。このようにして１つの親機に対して複数の子機を接続したシステムを構成することが可能である。前記の子機シーケンス図によれば、子機の反転用モーターは親機の正転・逆転・待機の動作に準じ、且つ、子機の正転リミットスイッチ及び逆転リミットスイッチのオン・オフに従って動作することとなる。
【００２５】
図８は水平かさ歯車１４ａ上の接触部１８と正転・逆転ミットスイッチ（１６，１７）との関係を示す説明図である。図８に基づいて正転リミットスイッチ及び逆転リミットスイッチと噴霧送風機の方向ないし角度のずれを修正する動作について詳細に説明する。本実施例において、噴霧送風機又は水平かさ歯車１４ａの正転（正回転）は反時計方向の回転を言い、逆転（逆回転）は時計方向の回転を言う。この反転式噴霧送風システムを最初に自動運転するときは正転から開始し、水平かさ歯車１４ａの接触部が逆転リミットスイッチ１７と接触する位置を原点とする。
【００２６】
図８において、（ａ）が親機であり、（ｂ）と（ｃ）は子機である場合、親機（ａ）は、接触部１８が原点の位置に停止しており、子機（ｂ）と（ｃ）の接触部１８は原点から離れた位置に停止している。この状態で自動運転スイッチをオンすると、親機と子機は何れも正転を開始し、接触部１８が、原点より最も遠い位置にある子機（ｃ）、次に（ｂ）の順に正転リミットスイッチに接触するとともに停止して待機する。最後に親機（ａ）の接触部１８が正転リミットスイッチに接触するか又は正転開始から３分後に正転タイマーＴＭＡリレーがオフして５２Ｆリレーが非導通となり正転が停止する。親機（ａ）が停止してから１分後に（ａ）（ｂ）（ｃ）が同時に逆転を開始する。以上によって噴霧送風機間の方向ないし角度のずれが修正できるのである。
【００２７】
次に、前記の図８において、（ｃ）が親機であり、（ａ）及び（ｂ）が子機である場合には、親機（ｃ）が最初に正転リミットスイッチ１６に接触して正転を停止するとともに子機（ａ）及び（ｂ）も共に一斉に停止する。この時、子機（ａ）及び（ｂ）は両リミットスイッチの中間の位置に停止しており、親機（ｃ）が停止してから１分後に全機がそれぞれの位置から逆転を開始する。やがて子機（ａ）（ｂ）、最後に親機（ｃ）の順に各接触部１８が逆転リミットスイッチ１７に接触して、全機が原点位置に停止する。親機（ｃ）が停止してから１分後に全機が原点位置から正転を開始することにより、噴霧送風機間の方向ないし角度のずれが修正できるのである。以上に説明した方向ないし角度のずれの修正は、前記のスタート時のみでなく、連続運転した場合に、正逆何れかの方向に偏って生じる回転方向ないし角度のずれの修正も同様にして逐次修正でき、更に子機が３台以上連結された場合も同様である。
【００２８】
図９は、１８０度の範囲内で正逆回転させる噴霧送風機の場合に、水平かさ歯車１４ａ上面の接触部１８が、各リミットスイッチと接する位置で、且つ、相互に１８０度離れて対向する位置に２個（１８ａ，１８ｂ）設けられた例を示す。親機が３６０度正逆回転噴霧送風機で、子機が前記の１８０度正逆回転噴霧送風機の場合には、最初、子機の接触部１８ａが原点の位置にあって正転が開始し、水平かさ歯車１４ａがほぼ半回転すると接触部１８ｂが正転リミットスイッチ１６に接触して停止し、この状態で親機が逆転するまで待機し、親機が逆転を開始すると同時的に子機も逆転を開始する。次に、子機が１８０度回転すると接触部１８ａが逆転リミットスイッチ１７に接触して停止し、同時的に親機も停止する。このようにして、親機が３６０度正逆回転するのに対して子機は１８０度正逆回転することとなる。水平かさ歯車１４ａの中心点と２個の接触部（１８ａ，１８ｂ）を結ぶ線による狭角βのなす角度を前記の１８０度に代えて９０度にすれば、９０度正逆回転させることができ、この狭角βのなす角度を適宜設定することによって任意の角度で正逆回転させることが可能となる。
【００２９】
正回転と逆回転の切換時間はタイマーによって任意に設定することが可能である。切換時間を反転基板１５が１回転する時間よりも短く設定すると、反転基板１５は１回転せずに、例えば、正逆回転を各１分半、待機１分間に設定すれば１／２回転ずつ交互に正逆回転を繰返すこととなる。また、切換時間を反転基板１５が１回転する時間よりも長く設定すると、前記のように水平かさ歯車１４ａに取付けられた接触部１８が正転リミットスイッチ１６と逆転リミットスイッチ１７に交互に接触してオン、オフするとともにモーターは反転し、反転基板は同様に正逆回転を繰返す。この場合、モーターの通電がオフした後の惰性回転を考慮して正逆回転の切換に待機時間を設けてモーターの発熱による故障を防ぐ必要がある。
【００３０】
前記の電磁リレーに代えて無接点リレーを使用したシーケンス制御とすることも可能であることは言うまでもない。例えば、タイマー機能を有するＰＣ（プログラマブルコントローラー）である三菱電気（株）製の三菱汎用シーケンサＦ１−３０ＭＲ型シーケンサ２７等を用いて、ＰＣ中の記憶装置に予め記憶された所定のラダープログラムに従って実行することが可能である。また、本実施例の反転式噴霧送風システムでは複数個の噴霧送風装置の１つを親機、残余を子機として構成した。各噴霧送風装置をそれぞれ別々に正逆反転するように制御することもできるが、構成が複雑化することから本実施例のように構成することが好ましい。
【００３１】
図１０は、前記の反転式架台１の反転基板１５の反シャフト側に噴霧送風機４を取着した噴霧送風装置３を例示した斜視図である。この噴霧送風装置を豚舎等の畜舎やハウスの天井に吊下げて、噴霧送風機を３６０度反転しつつ回転させながら送風ないし細霧を噴霧することによって、特に夏場の暑い室内の温度を５ないし１０度下げることができる。水を噴霧する以外に消毒液等を噴霧することもできる。また、噴霧送風機を温度センサーや湿度センサーと連動させて、室温が所定温度以上になったときに噴霧を開始し、室温が所定温度に下がったときに噴霧を停止して送風に切換えるように設定することもできる。ここに使用する噴霧送風機は、通常市販されている機器であれば特に限定されず、反転基板にボルト等によって取付けることが可能である。
【００３２】
【発明の効果】
この発明に係る反転式噴霧送風システムは、前記のように各噴霧送風機の方向ないし角度のずれを修正するための修正手段を設けたので、反転用モーターによる回転数の誤差、モーターの反転動作の際に惰性で回転する角度の誤差等の原因により、長時間稼動した場合に、正逆何れかの方向に偏って回転する結果、この回転差が加算されて噴霧送風方向が区々となったり、ついには電気配線コードが絡みつく等の支障が生じる問題点を解消し、効率がよく斑のない温室度調整ができ、しかも畜舎の中に仕切を設けて、その仕切の中で家畜を飼育する場合に、家畜に対して両方向から送風ないし噴霧することができるとともに、室内全体に風を行き渡らせて快適な飼育環境が維持できることによって特に冬場の乾燥時に家畜が肺炎などの病気に感染することを確実に予防することができ、更に消毒液を散布して害虫や病気の予防効果を高め、温度センサー等と連動させてより快適な室内環境の整備と経済的な運用ができる効果を奏する。
【図面の簡単な説明】
【図１】この発明の実施例に係る噴霧送風機を取り付けるための反転式架台の内部側面の構造を示す説明図である。
【図２】この発明の実施例における制御盤の正面図である。
【図３】この発明の実施例における主電源の配線図である。
【図４】この発明の実施例における反転式噴霧送風システムの親機のシーケンス図である。
【図５】この発明の実施例における子機の電源配線図である。
【図６】この発明の実施例における子機のシーケンス図である。
【図７】この発明の実施例における親機と子機の配線図である。
【図８】この発明の実施例における噴霧送風機の方向ないし角度のずれを修正する動作の説明図である。
【図９】この発明の実施例における１８０度（ａ）又は９０度（ｂ）の範囲内で正逆回転させる噴霧送風機の説明図である。
【図１０】この発明の実施例における噴霧送風装置を例示した斜視図である。
【符号の説明】
１：反転式架台、２：制御盤、３：噴霧送風装置、４：噴霧送風機、Ｐ：親機、Ｃ：子機、
１１：ハウジング、１２：シャフト、１３：反転用モーター、１４：かさ歯車、１４ａ：水平かさ歯車、１４ｂ：垂直かさ歯車、１５：反転基板、１６：正転リミットスイッチ、１７：逆転リミットスイッチ、１８，１８ａ，１８ｂ：接触部、１９：補助スイッチ、２０：吊下げ具、２１：底基台、２２：端子
【図１】
2004180593.tif 000003
【図２】
2004180593.tif 000004
【図３】
2004180593.tif 000005
【図４】
2004180593.tif 000006
【図５】
2004180593.tif 000007
【図６】
2004180593.tif 000008
【図７】
2004180593.tif 000009
【図８】
2004180593.tif 000010
【図９】
2004180593.tif 000011
【図１０】
2004180593.tif 000012